(57)【特許請求の範囲】
【請求項１】
前面側に既設壁が設置された既設岸構造物の補強構造において、
前記既設壁の後方の地盤を改良した地盤改良部と、一端が該地盤改良部の地表面に開口し、他端が安定地盤に至るアンカー挿通孔と、該アンカー挿通孔に沿って挿通され、一端が前記安定地盤に定着され、他端が前記地盤改良部に定着されたアンカー材とを備え、前記アンカー材を介して前記地盤改良部を前記安定地盤に支持させるようにしたことを特徴とする既設岸構造物の補強構造。
【請求項２】
前記アンカー挿通孔は、所望の深さで前記地盤改良部から所望の角度で傾斜して延出し安定地盤に至る斜孔部を有する請求項１に記載の既設岸構造物の補強構造。
【請求項３】
前記アンカー挿通孔は、前記地盤改良部の地表面より所望の深さまで削孔した縦孔部と、該縦孔部から後方に向けて屈曲した屈曲孔部と、該屈曲孔部と連続して所望の角度で傾斜し、所望深さで地盤改良部より延出して前記安定地盤に至る斜孔部とを備えた請求項２に記載の既設岸構造物の補強構造。
【請求項４】
前記斜孔部の前記地盤改良部の後端面における深さが異なる複数のアンカー挿通孔を並列に配置した請求項２又は３に記載の既設岸構造物の補強構造。
【請求項５】
前記地盤改良部の地表部に前記アンカー材の一端が定着される定着体を備えた請求項１〜４の何れか１項に記載の既設岸構造物の補強構造。
【請求項６】
前面側に既設壁が設置された既設岸構造物の補強方法において、
前記既設壁の後方の地盤を改良して地盤改良部を形成し、既設護岸の地表面に削孔機を設置し、該削孔機により前記地盤改良部の地表面に開口し、且つ、安定地盤に至るアンカー挿通孔を削孔し、該アンカー挿通孔にアンカー材を挿通させ、該アンカー材の一端を前記安定地盤に定着させるとともに、他端を前記地盤改良部に定着させ、前記地盤改良部を前記アンカー材により前記安定地盤に支持させることを特徴とする既設岸構造物の補強方法。
【請求項７】
直進掘削及び所望の曲率半径で屈曲掘削が可能な削孔機を使用し、
前記地盤改良部の地表面から所望の深さまで縦方向に縦孔部を削孔した後、該縦孔部より後方に向けて屈曲した屈曲孔部を削孔し、前記屈曲孔部と連続して所望深さで前記地盤改良部の後端面を通り、該地盤改良部の後端面から所望の角度で傾斜した斜孔部を削孔して前記地盤改良部の地表部から前記安定地盤に到る前記アンカー挿通孔を形成し、
然る後、該アンカー挿通孔に沿って前記アンカー材を挿通させる請求項６に記載の既設岸構造物の補強方法。
【発明の詳細な説明】
【技術分野】
【０００１】
本発明は、グラウンドアンカー等のアンカー材を使用した護岸又は岸壁等の既設岸構造物の補強構造及び補強方法に関する。
【背景技術】
【０００２】
港湾施設においては、船舶の大型化に伴う大水深化や耐震補強を図るため護岸又は岸壁等の既設岸構造物の補強が必要な場合がある。
【０００３】
従来、既設岸構造物の補強方法としては、矢板や鋼管矢板からなる既設壁の後方地盤を改良し、既設壁に対する作用土圧の低減を図る地盤改良工法や、既設壁の前面又は背面側に新規に矢板や鋼管矢板を設置するとともに、その後方に新規に控え工を設置し、新規控え工と新規矢板との上端部同士をタイロッドで連結するようにした矢板構造物工法、又は地盤改良工法と矢板構造物工法とを併用する工法等が知られている。
【０００４】
また、その他の既設岸構造物の補強方法としては、図１０に示すように、矢板からなる既設壁１００の海側に仮設架台１０１（又は作業台船）を設置し、この仮設架台１０１に削孔機１０２を設置して海側から斜め方向に安定地盤１０３に至るアンカー挿通孔を削孔し、このアンカー挿通孔にグラウンドアンカー等のアンカー材１０４を挿通し、アンカー材１０４の一端を安定地盤１０３に定着させるとともに、他端を既設壁（又はそれを構成する矢板）１００に定着させ、アンカー材１０４を介して既設壁１００を安定地盤１０３に支持させる工法も知られている（例えば、特許文献１を参照）。
【先行技術文献】
【特許文献】
【０００５】
【特許文献１】特開平１−１９８９２０号公報
【発明の概要】
【発明が解決しようとする課題】
【０００６】
しかしながら、従来の地盤改良工法では、地盤改良部の安定性確保のため地盤改良範囲が広範囲となり、経済的負担が大きいという問題があった。
【０００７】
また、従来の矢板構造物工法にあっては、新たに控え工を設置し、新規控え工と新規矢板との上部工同士をタイロッドで連結する構造であるため、地表部を掘り起こさなければならず、施工中は岸壁等の既設岸構造物を稼働させることができないという問題や地上施設が存在すると控え工の設置が困難であるという問題があった。
【０００８】
また、タイロッドが既設壁の上部工に固定されるため、既設壁の曲げ耐力向上効果があまり望めないものであった。
【０００９】
一方、従来のアンカー材による補強方法では、アンカー挿通孔及びアンカー材の設置のために、水面上に仮設架台や作業台船を設置し、施工後はそれらを撤去しなければならないため施工効率が悪く、工費が嵩むという問題があり、水面上に仮設架台や作業台船を設置した状態では、船舶の接岸が制限され、岸壁の稼働も制限されていた。
【００１０】
また、海側のアンカー材の定着位置は、施工上の問題から海上に設定せざるを得ず、既設控え工の耐力増強には寄与するが、矢板からなる既設壁の応力算定時の支点位置が高い位置となるので、既設壁の耐力増強に寄与し難いという問題もあった。
【００１１】
そこで、本発明は、このような従来の問題に鑑み、施工性に優れ、既設壁の曲げ耐力向上を図ることができる既設岸構造物の補強構造及び補強方法の提供を目的としてなされたものである。
【課題を解決するための手段】
【００１２】
上述の如き従来の問題を解決するための請求項1に記載の発明の特徴は、前面側に既設壁が設置された既設岸構造物の補強構造において、前記既設壁の後方の地盤を改良した地盤改良部と、一端が該地盤改良部の地表面に開口し、他端が安定地盤に至るアンカー挿通孔と、該アンカー挿通孔に沿って挿通され、一端が前記安定地盤に定着され、他端が前記地盤改良部に定着されたアンカー材とを備え、前記アンカー材を介して前記地盤改良部を前記安定地盤に支持させるようにしたことを特徴とする既設岸構造物の補強構造にある。
【００１３】
請求項２に記載の発明の特徴は、請求項１の構成に加え、前記アンカー挿通孔は、所望の深さで前記地盤改良部から所望の角度で傾斜して延出し安定地盤に至る斜孔部を有することにある。
【００１４】
請求項３に記載の発明の特徴は、請求項２の構成に加え、前記アンカー挿通孔は、前記地盤改良部の地表面より所望の深さまで削孔した縦孔部と、該縦孔部から後方に向けて屈曲した屈曲孔部と、該屈曲孔部と連続して所望の角度で傾斜し、所望深さで地盤改良部より延出して前記安定地盤に至る斜孔部とを備えたことにある。
【００１５】
請求項４に記載の発明の特徴は、請求項２又は３の構成に加え、前記斜孔部の前記地盤改良部の後端面における深さが異なる複数のアンカー挿通孔を並列に配置したことにある。
【００１６】
請求項５に記載の発明の特徴は、請求項１〜４の何れか１項の構成に加え、前記地盤改良部の地表部に前記アンカー材の一端が定着される定着体を備えたことにある。
【００１７】
請求項６に記載の発明の特徴は、前面側に既設壁が設置された既設岸構造物の補強方法において、前記既設壁の後方の地盤を改良して地盤改良部を形成し、既設護岸の地表面に削孔機を設置し、該削孔機により前記地盤改良部の地表面に開口し、且つ、安定地盤に至るアンカー挿通孔を削孔し、該アンカー挿通孔にアンカー材を挿通させ、該アンカー材の一端を前記安定地盤に定着させるとともに、他端を前記地盤改良部に定着させ、前記地盤改良部を前記アンカー材により前記安定地盤に支持させる既設岸構造物の補強方法にある。
【００１８】
請求項７に記載の発明の特徴は、請求項６の構成に加え、直進掘削及び所望の曲率半径で屈曲掘削が可能な削孔機を使用し、前記地盤改良部の地表面から所望の深さまで縦方向に縦孔部を削孔した後、該縦孔部より後方に向けて屈曲した屈曲孔部を削孔し、前記屈曲孔部と連続して所望深さで前記地盤改良部の後端面を通り、該地盤改良部の後端面から所望の角度で傾斜した斜孔部を削孔して前記地盤改良部の地表部から前記安定地盤に到る前記アンカー挿通孔を形成し、然る後、該アンカー挿通孔に沿って前記アンカー材を挿通させることにある。
【発明の効果】
【００１９】
本発明に係る既設岸構造物の補強構造は、上述したように、前面側に既設壁が設置された既設岸構造物の補強構造において、前記既設壁の後方の地盤を改良した地盤改良部と、一端が該地盤改良部の地表面に開口し、他端が安定地盤に至るアンカー挿通孔と、該アンカー挿通孔に沿って挿通され、一端が前記安定地盤に定着され、他端が前記地盤改良部に定着されたアンカー材とを備え、前記アンカー材を介して前記地盤改良部を前記安定地盤に支持させるようにしたことにより、地盤改良範囲を小さくできるとともに地上で施工可能であるので、施工性に優れ且つ安価に護岸や岸壁等の既設岸構造物を補強することができる。また、地表部の掘り起こしを要せず、水上に架設架台や作業台船を設置する必要が無く施工中の接岸も可能なので、施工中の占有範囲を小さくでき、施工に伴う既設岸構造物の占有期間の短縮を図れ、既設岸構造物の効率的な稼働を確保することができる。
【００２０】
また、本発明において、前記アンカー挿通孔は、所望の深さで前記地盤改良部から所望の角度で傾斜して延出し安定地盤に至る斜孔部を有することにより、作用土圧の低減を図ることができる。
【００２１】
更に、本発明において、前記アンカー挿通孔は、前記地盤改良部の地表面より所望の深さまで削孔した縦孔部と、該縦孔部から後方に向けて屈曲した屈曲孔部と、該屈曲孔部と連続して所望の角度で傾斜し、所望深さで地盤改良部の後端面より延出して前記安定地盤に至る斜孔部とを備えたことにより、アンカー材による支持点を低い位置に設定でき、地盤改良部の曲げ耐力の増強を図ることができる。
【００２２】
更にまた、本発明において、前記斜孔部の前記地盤改良部の後端面における深さが異なる複数のアンカー挿通孔を並列に配置したことにより、深さ方向の支点スパンをさらに小さくでき、地盤改良部の強度負担を低減することができる。
【００２３】
また、本発明において、前記地盤改良部の地表部に前記アンカー材の一端が定着される定着体を備えたことにより、定着作業を容易に行うことができる。
【００２４】
また、本発明において、前面側に既設壁が設置された既設岸構造物の補強方法において、前記既設壁の後方の地盤を改良して地盤改良部を形成し、既設護岸の地表面に削孔機を設置し、該削孔機により前記地盤改良部の地表面に開口し、且つ、安定地盤に至るアンカー挿通孔を削孔し、該アンカー挿通孔にアンカー材を挿通させ、該アンカー材の一端を前記安定地盤に定着させるとともに、他端を前記地盤改良部に定着させ、前記地盤改良部を前記アンカー材により前記安定地盤に支持させることにより、地盤改良範囲を小さくできるとともに、海上に仮設架台等を必要とせず地上施工が可能であり、また、地表部の掘り起こしも必要ないので、施工中の占有範囲を小さくでき、施工に伴う既設岸構造物の占有期間の短縮を図れ、護岸又は岸壁等の既設岸構造物の効率的な稼働を確保することができ、施工性及び経済性の向上を図ることができる。
【００２５】
また、本発明において、直進掘削及び所望の曲率半径で屈曲掘削が可能な削孔機を使用し、前記地盤改良部の地表面から所望の深さまで縦方向に縦孔部を削孔した後、該縦孔部より後方に向けて屈曲した屈曲孔部を削孔し、前記屈曲孔部と連続して所望深さで前記地盤改良部の後端面を通り、該地盤改良部の後端面から所望の角度で傾斜した斜孔部を削孔して前記地盤改良部の地表部から前記安定地盤に到る前記アンカー挿通孔を形成し、然る後、該アンカー挿通孔に沿って前記アンカー材を挿通させることにより、アンカー材の設置作業を地上で行えるとともに、地盤改良部に対するアンカー材の支持力作用位置を自由に設計することができる。
【図面の簡単な説明】
【００２６】
【図１】本発明に係る既設岸構造物の補強構造の一例を示す縦断面図である。
【図２】同上の平面図である。
【図３】（ａ）（ｂ）は同上の既設岸構造物の補強構造における土圧の作用状態を説明するための模式図である。
【図４】既設護岸の構造を示す縦断面図である。
【図５】本発明に係る既設岸構造物の補強方法における地盤改良工程の状態を示す縦断面図である。
【図６】同上のアンカー挿通孔削孔工程の状態を示す縦断面図である。
【図７】本発明に係る既設岸構造物の補強構造の他の一例を示す縦断面図である。
【図８】本発明に係る既設岸構造物の補強構造の更に他の一例を示す縦断面図である。
【図９】本発明に係る既設岸構造物の補強構造の更に他の一例を示す縦断面図である。
【図１０】従来の既設岸構造物の補強方法におけるアンカー挿通孔削孔工程の状態を示す縦断面図である。
【発明を実施するための形態】
【００２７】
次に、本発明に係る既設岸構造物の補強構造の実施態様を図１〜図３に示した実施例に基づいて説明する。尚、図中符号１は護岸又は岸壁等の既設岸構造物、符号２は水面、符号３は安定地盤である。また、本発明においては、岸の海側を前、平面において前後方向と交差する方向を横方向として説明する。
【００２８】
護岸や岸壁等の既設岸構造物１は、前面に設置された矢板からなる既設壁４と、既設壁４の後方に間隔を置いて埋設された杭からなる既設控え工５とを備え、既設壁４の上部工４ａと既設控え工５の上部工とがタイロッド等の支持部材６により連結されている。
【００２９】
この既設岸構造物１の補強構造は、図１、図２に示すように、既設壁４の後方の地盤１ａを改良した地盤改良部１０と、地盤改良部１０の地表面に開口し、且つ、所望の深さで地盤改良部１０の後端面１０ａから所望の角度で傾斜して安定地盤３に至る斜孔部１１ｃを有するアンカー挿通孔１１と、アンカー挿通孔１１に沿って挿通され、一端が安定地盤３に定着され、他端が地盤改良部１０に定着されたアンカー材１２とを備え、アンカー材１２を介して地盤改良部１０を安定地盤３に支持させるようになっている。
【００３０】
地盤改良部１０は、薬液注入等により既設壁４の後面側地盤を所望の範囲に亘って改良することにより形成され、アンカー定着にも耐え得る安定した強度を有している。
【００３１】
尚、その前後方向の地盤改良範囲は、既設壁４と既設控え工５との距離及び従来の地盤改良による既設護岸補強方法の地盤改良範囲に比べ小さくなっている。
【００３２】
アンカー挿通孔１１は、それぞれ地盤改良部１０の地表面より所望の深さまで縦方向に削孔した縦孔部１１ａと、縦孔部１１ａから後方に向けて屈曲した屈曲孔部１１ｂと、屈曲孔部１１ｂから所望の角度で傾斜し、所望の深さ位置で地盤改良部１０の後端面１０ａを通って安定地盤３に至る斜孔部１１ｃとを備えている。
【００３３】
各アンカー挿通孔１１は、図２に示すように、並列に配置され、隣り合うアンカー挿通孔１１は、斜孔部１１ｃの地盤改良部１０の後端面１０ａにおける深さｈ１、ｈ２が異なるように形成され、アンカー材１２による支持力が作用する点を互いに深さ方向で異なるようにしている。
【００３４】
アンカー材１２は、ＰＣ鋼材等により構成され、その一端がアンカー挿通孔１１の先端部にグラウト１３等の固化材を加圧注入し、固化させることにより安定地盤３に定着され、他端が地盤改良部１０の地表部に設置された定着体１４に緊張した状態で定着されている。
【００３５】
尚、図中符号１６は、アンカー挿通孔１１を塞ぐためのパッカーであって、このパッカー１６を膨らませてアンカー挿通孔１１の先端部を封鎖した状態でそこにグラウト１３等の固化材を加圧注入するようになっている。
【００３６】
定着体１４は、版状のプレキャストコンクリートブロック等により構成され、地盤改良部１０の地表面部であって既設壁４の上部工４ａ近傍に設置されている。
【００３７】
図中符号１５は、アンカー材１２を定着体１４に定着させる定着手段である。この定着手段１５は、特に限定されないが、例えば、アンカー材１２の端部にねじ部を設け、このねじ部にナットをねじ嵌めして締め付けるようにしてもよく、楔状の定着具等の他の定着手段を用いてもよい。
【００３８】
このように構成された既設岸構造物の補強構造は、既設壁４の後面側に地盤改良部１０を備え、地盤改良部１０がアンカー材１２により安定地盤３に支持されているので、既設壁４に対する作用土圧が低減される。
【００３９】
また、地盤改良部１０自体がアンカー材１２により安定地盤３に支持されるので、従来工法よりも狭い地盤改良範囲で地盤改良部１０の高い安定性を確保することができる。
【００４０】
更に、地盤改良部１０は、梁モデルとして考えることができ、アンカー挿通孔１１が斜孔部１１ｃの前方への延長線が既設壁４と水面下の所望高さで交差するように形成されたことにより、図３（ａ）に示すように、アンカー材１２による支点１５ａの位置を所望の深さ位置まで下げ、深さ方向の支点スパンを小さくすることができる。
【００４１】
更にまた、斜孔部１１ｃの地盤改良部１０後端面１０ａにおける深さｈ１，ｈ２が異なる複数のアンカー挿通孔１１を並列に配置したことにより、図３（ｂ）に示すように、深さ方向において地盤改良部１０を複数の支点１５ｂ，１５ｂで支持することにより、深さ方向の支点スパンをさらに小さくでき、地盤改良部１０の強度負担を小さくすることができる。
【００４２】
次に、本発明に係る既設岸構造物の補強方法について図１及び図４〜図７に基づいて説明する。尚、上述の実施例と同様の構成には、同一符号を付して説明する。また、図４は補強前の護岸や岸壁等の既設岸構造物の状態を示し、図中符号４は既設壁、符号５は既設控え工である。
【００４３】
本発明方法では、まず、図５に示すように、薬液注入等により既設壁４の後面側地盤１ａを所望の範囲に亘って改良し、地盤改良部１０を形成する。
【００４４】
地盤改良範囲は、既設壁４と既設控え工５との距離及び従来の地盤改良による既設護岸補強方法の地盤改良範囲に比べ小さくて良い。
【００４５】
次に、図６に示すように、護岸や岸壁等の既設岸構造物１の地上に削孔機２０を設置し、削孔機２０により地盤改良部１０の地表面に開口し、且つ、所望の深さで地盤改良部１０の後端面１０ａから所望の角度で傾斜して安定地盤３に至るアンカー挿通孔１１を削孔する。
【００４６】
削孔機２０は、傾斜掘削法や曲がり削孔に使用される削孔機であって、直進掘削及び所望の曲率半径での曲線削孔が可能なものが使用され、掘削ビット２３の後方にケーシング２２が埋設されるようになっている。
【００４７】
尚、この削孔機２０には、各種センサーからなる掘削ビット２３位置を測定するビット位置測定手段を備え、このビット位置計測手段からの情報に基づいて推進距離、屈曲削孔時の屈曲半径等を制御できるようになっている。
【００４８】
アンカー挿通孔１１の削孔作業は、まず、地盤改良部１０の地表面側より縦方向に直進的に推進することにより所望深さに至る縦孔部１１ａを削孔する。
【００４９】
次に、縦孔部１１ａが所望深さまで至ったら、掘削ビット２３の削孔向きを所望の曲率半径で後方に曲げつつ削孔し、縦孔部１１ａと連続して後方に向けて屈曲した屈曲孔部１１ｂを削孔する。
【００５０】
そして、屈曲孔部１１ｂが所望の位置、即ち、掘削ビット２３の削孔方向が斜孔部１１ｃの傾斜方向と一致する位置にまで至ったら、その位置から斜め方向に直進的に削孔することにより所望の深さで地盤改良部１０の後端面１０ａに至り、更に、その地盤改良部１０の後端面１０ａから所望の角度で傾斜し、安定地盤３にまで至る斜孔部１１ｃを削孔する。
【００５１】
これにより、地盤改良部１０の地表面に開口し、且つ、所望の深さで地盤改良部１０の後端面１０ａから所望の角度で傾斜して安定地盤３に至る斜孔部１１ｃを有するアンカー挿通孔１１が形成される。
【００５２】
アンカー挿通孔１１が形成されたら、図１に示すように、このアンカー挿通孔１１にアンカー材１２を挿通させ、アンカー材１２の先端が安定地盤３にまで至っていることを確認し、グラウトを注入しつつケーシング２２を引き抜きながら、アンカー挿通孔１１の先端部にグラウト等の固化材を加圧注入し、この先端部のグラウトを固化させることによりアンカー材１２の一端を安定地盤３に定着させる。
【００５３】
一方、アンカー挿通孔１１を形成した後、地盤改良部１０の地表部には、アンカー材１２の上端が定着される定着体１４を配置する。
【００５４】
そして、アンカー材１２の一端を安定地盤３に定着させた状態で緊張させ、その状態で他端を定着体１４にナット締め等の定着手段１５により定着させ、地盤改良部１０をアンカー材１２により安定地盤３に支持させる。
【００５５】
そして、アンカー挿通孔１１の形成、アンカー材１２の挿入及びアンカー材１２の定着までの一連の作業を、削孔機２０を横方向（図２中の上下方向）に移動させつつ繰り返すことによりアンカー挿通孔１１を並列に配置する。
【００５６】
尚、互いに隣り合うアンカー挿通孔１１で縦孔部１１ａの到達深度を違えることにより、斜孔部１１ｃの地盤改良部１０の後端面１０ａにおける深さが異なる複数のアンカー挿通孔１１を並列に配置する。
【００５７】
このように構成された既設岸構造物の補強方法では、仮設架台や作業台船の設置及び地表部の大幅な掘り起こしを必要としないため、施工中の占有範囲が小さく、施工中の接岸も可能となるので、護岸又は岸壁等の既設岸構造物の施工に伴う占有期間も大幅に短縮でき、既設構造物の効率的な稼働を確保することができる。
【００５８】
また、本発明に係る既設岸構造物の補強構造においては、定着体１４を使用せず、図７に示すように、アンカー挿通孔１１の屈曲孔部１１ｂ内にグラウト３０を加圧注入し、アンカー材１２を地盤改良部１０内に定着させたものであってもよい。尚、本実施例において上述の実施例と同様の構成には同一符号を付して説明を省略する。
【００５９】
アンカー材１２の地盤改良部１０への定着は、アンカー材１２の所定の位置にパッカー３１，３１等の封鎖部材を収縮させた状態で設置しておき、アンカー材１２をアンカー挿通孔１１に挿通させ、先端部を安定地盤３に定着した後、両パッカー３１，３１にグラウト等を注入して膨張させ、屈曲孔部１１ｂの両端を塞いだ後、図示しない注入管を通して両パッカー３１，３１間にグラウトを加圧注入することにより行う。
【００６０】
この様に屈曲孔部１１ｂにグラウト３０を加圧注入し、アンカー材１２を地盤改良部１０に定着することにより、地盤改良部１０にアンカー材１２を確実に定着でき、屈曲孔部１１ｂにおけるアンカー材１２に作用する張力が地盤改良部１０に及ぼす影響を排除し、地盤改良部１０の乱れを防止することができる。
【００６１】
また、上述の実施例では、定着体１４を設ける場合、既設壁４と別個に設ける場合について説明したが、定着体１４を既設壁４の上部工４ａと一体化し、アンカー材１２による支持力が既設壁４にも作用するようにしてもよい。
【００６２】
尚、アンカー挿通孔１１は、地盤改良部１０の地表面に開口し、且つ、安定地盤３に至るものであればよく、例えば、図８に示すように、全体が斜孔部１１ｃを成し、所望の深さで地盤改良部１０の後端面１０ａより斜め後方に延出した形状のものでもよく、図９に示すように、アンカー挿通孔１１を垂直方向に向けて形成したものであってもよい。尚、上述の実施例と同様の構成には、同一符号を付して説明を省略する。
【符号の説明】
【００６３】
１  既設護岸
１ａ  地盤
２  水面
３  安定地盤
４  既設壁
５  既設控え工
１０  地盤改良部
１０ａ  後端面
１１  アンカー挿通孔
１１ａ  縦孔部
１１ｂ  屈曲孔部
１１ｃ  斜孔部
１２  アンカー材
１３  グラウト
１４  定着体
１６  パッカー
１５  定着手段
２０  削孔機
２２  ケーシング
２３  掘削ビット
３０  グラウト
３１  パッカー
【図１】
0006337396.tif 000002
【図２】
0006337396.tif 000003
【図３】
0006337396.tif 000004
【図４】
0006337396.tif 000005
【図５】
0006337396.tif 000006
【図６】
0006337396.tif 000007
【図７】
0006337396.tif 000008
【図８】
0006337396.tif 000009
【図９】
0006337396.tif 000010
【図１０】
0006337396.tif 000011